(57)【特許請求の範囲】
【請求項１】
天板の下方に複数のケース受板が上下多段に配され、前記天板と前記ケース受板との間及び前記ケース受板同士の間夫々に引き出しケースが引き出し自在に設けられた引出式収納ケースと、前記引出式収納ケースに一端部が連結される接地体，この接地体の他端部に立設される支柱及びこの支柱の上端部に他端部が連結され前記引出式収納ケースに一端部が連結されるパイプ体を有するパイプハンガーとから成る収納具であって、前記天板の端部と前記パイプ体の一端部とを突き合せ連結するとともに、最下段の前記ケース受板の端部と前記接地体の一端部とを突き合せ連結する構成であり、この突き合せ連結する突き合せ端部同士を上下方向若しくは前後方向に相対移動させることで、一方の突き合せ端部に凹設した第一凹条部にスライド配設する第一凸部を他方の突き合せ端部に凸設するとともに、前記他方の突き合せ端部にして前記第一凹条部との突き合せ対向位置に凹設した第二凹条部にスライド配設する第二凸部を前記一方の突き合せ端部に凸設し、前記第二凸部を、前記第一凹条部における対向開口縁部の一方から他方へ向けて前記第一凹条部の開口位置に突出状態に設けるとともに、前記第一凸部を、前記第二凹条部における対向開口縁部の一方から他方へ向けて前記第二凹条部の開口位置に突出状態に設け、前記突き合せ端部同士を突き合せた際の前記第一凹条部における開口縁部から突出する前記第二凸部の突出方向と、前記第二凹条部における開口縁部から突出する前記第一凸部の突出方向とが逆方向となるように構成して、前記第一凸部，前記第二凸部を前記第一凹条部，前記第二凹条部にスライド配設することで、前記第一凸部，前記第二凸部同士が互いに重合係合して前記突き合せ端部同士が突き合せ方向に対する離反不能状態に連結するように構成したことを特徴とする収納具。
【請求項２】
前記一方の突き合せ端部に凹設した複数の第一凹条部にスライド配設する複数の第一凸部を前記他方の突き合せ端部に凸設するとともに、前記他方の突き合せ端部にして前記各第一凹条部との突き合せ対向位置に凹設した複数の第二凹条部にスライド配設する複数の第二凸部を前記一方の突き合せ端部に凸設したことを特徴とする請求項１記載の収納具。
【請求項３】
前記第二凸部を、前記各第一凹条部における対向開口縁部の一方から他方へ向けて前記各第一凹条部の開口位置に突出状態となるように設けるとともに、前記第一凸部を、前記各第二凹条部における対向開口縁部の一方から他方へ向けて前記各第二凹条部の開口位置に突出状態となるように設け、前記各第一凹条部の開口位置に突出状態となる前記各第二凸部の突出方向が同一方向となり、前記各第二凹条部の開口位置に突出状態となる前記各第一凸部の突出方向が同一方向となるように構成したことを特徴とする請求項２記載の収納具。
【請求項４】
前記突き合せ端部同士を突き合せた際の前記各第一凹条部における開口縁部から突出する前記各第二凸部の突出方向と、前記各第二凹条部における開口縁部から突出する前記各第一凸部の突出方向とが逆方向となるように構成したことを特徴とする請求項２，３のいずれか１項に記載の収納具。
【請求項５】
前記第一凸部と重合する前記第二凸部の重合面を、前記一方の突き合せ端部の端面と同一平面状態となるように設けるとともに、前記第二凸部と重合する前記第一凸部の重合面を前記他方の突き合せ端部の端面と同一平面状態となるように設けたことを特徴とする請求項１〜４のいずれか１項に記載の収納具。
【発明の詳細な説明】
【技術分野】
【０００１】
本発明は、収納具に関するものである。
【背景技術】
【０００２】
従来から、例えば一の収納ケースの端部と他の収納ケースの端部とを突き合せ連結する構造として、例えば特開平８−２８２７５７号に開示されるような収納ケースにおける連結構造（以下、従来例）が提案されている。
【０００３】
この従来例は、図６に図示したように突き合せ連結する突き合せ端部53，54のうち、一方の突き合せ端部53にホゾ形状の凸部55を設け、他方の突き合せ端部54にアリ溝形状の凹部56を設け、突き合せ連結する突き合せ端部53，54同士を上下方向に相対移動させることで凸部55を凹部56にスライド配設するように構成したものである。
【０００４】
従って、従来例は、突き合せ端部53，54同士を突き合せ方向に対する離反不能状態に連結することができる。
【先行技術文献】
【特許文献】
【０００５】
【特許文献１】特開平８−２８２７５７号公報
【発明の概要】
【発明が解決しようとする課題】
【０００６】
ところで、従来例は、凸部55及び凹部56は連結強度を確保する為にある程度厚みが必要となるが、一の収納ケースには大きな突出物が形成された状態となり、よって、この突出物が使用時や搬送時に邪魔になったり、体裁が悪いという問題点がある。
【０００７】
本発明は、前述した問題点を解決する、極めて商品価値の高い画期的な収納具を提供する。
【課題を解決するための手段】
【０００８】
添付図面を参照して本発明の要旨を説明する。
【０００９】
天板１ｃの下方に複数のケース受板１ｂが上下多段に配され、前記天板１ｃと前記ケース受板１ｂとの間及び前記ケース受板１ｂ同士の間夫々に引き出しケース１Ｂが引き出し自在に設けられた引出式収納ケース１と、前記引出式収納ケース１に一端部が連結される接地体Ｘ，この接地体Ｘの他端部に立設される支柱Ｙ及びこの支柱Ｙの上端部に他端部が連結され前記引出式収納ケース１に一端部が連結されるパイプ体Ｚを有するパイプハンガー２Ａとから成る収納具であって、前記天板１ｃの端部３と前記パイプ体Ｚの一端部４とを突き合せ連結するとともに、最下段の前記ケース受板１ｂの端部３と前記接地体Ｘの一端部４とを突き合せ連結する構成であり、この突き合せ連結する突き合せ端部３，４同士を上下方向若しくは前後方向に相対移動させることで、一方の突き合せ端部３に凹設した第一凹条部５にスライド配設する第一凸部７を他方の突き合せ端部４に凸設するとともに、前記他方の突き合せ端部４にして前記第一凹条部５との突き合せ対向位置に凹設した第二凹条部６にスライド配設する第二凸部８を前記一方の突き合せ端部３に凸設し、前記第二凸部８を、前記第一凹条部５における対向開口縁部の一方から他方へ向けて前記第一凹条部５の開口位置に突出状態に設けるとともに、前記第一凸部７を、前記第二凹条部６における対向開口縁部の一方から他方へ向けて前記第二凹条部６の開口位置に突出状態に設け、前記突き合せ端部３，４同士を突き合せた際の前記第一凹条部５における開口縁部から突出する前記第二凸部８の突出方向と、前記第二凹条部６における開口縁部から突出する前記第一凸部７の突出方向とが逆方向となるように構成して、前記第一凸部７，前記第二凸部８を前記第一凹条部５，前記第二凹条部６にスライド配設することで、前記第一凸部７，前記第二凸部８同士が互いに重合係合して前記突き合せ端部３，４同士が突き合せ方向に対する離反不能状態に連結するように構成したことを特徴とする収納具に係るものである。
【００１０】
また、前記一方の突き合せ端部３に凹設した複数の第一凹条部５にスライド配設する複数の第一凸部７を前記他方の突き合せ端部４に凸設するとともに、前記他方の突き合せ端部４にして前記各第一凹条部５との突き合せ対向位置に凹設した複数の第二凹条部６にスライド配設する複数の第二凸部８を前記一方の突き合せ端部３に凸設したことを特徴とする請求項１記載の収納具に係るものである。
【００１１】
また、前記第二凸部８を、前記各第一凹条部５における対向開口縁部の一方から他方へ向けて前記各第一凹条部５の開口位置に突出状態となるように設けるとともに、前記第一凸部７を、前記各第二凹条部６における対向開口縁部の一方から他方へ向けて前記各第二凹条部６の開口位置に突出状態となるように設け、前記各第一凹条部５の開口位置に突出状態となる前記各第二凸部８の突出方向が同一方向となり、前記各第二凹条部６の開口位置に突出状態となる前記各第一凸部７の突出方向が同一方向となるように構成したことを特徴とする請求項２記載の収納具に係るものである。
【００１２】
また、前記突き合せ端部３，４同士を突き合せた際の前記各第一凹条部５における開口縁部から突出する前記各第二凸部８の突出方向と、前記各第二凹条部６における開口縁部から突出する前記各第一凸部７の突出方向とが逆方向となるように構成したことを特徴とする請求項２，３のいずれか１項に記載の収納具に係るものである。
【００１３】
また、前記第一凸部７と重合する前記第二凸部８の重合面８ａを、前記一方の突き合せ端部３の端面３ａと同一平面状態となるように設けるとともに、前記第二凸部８と重合する前記第一凸部７の重合面７ａを前記他方の突き合せ端部４の端面４ａと同一平面状態となるように設けたことを特徴とする請求項１〜４のいずれか１項に記載の収納具に係るものである。
【発明の効果】
【００１４】
本発明は上述のように構成したから、引出式収納ケースの端部とこの引出式収納ケースに連結するパイプハンガーの端部とを確実に連結することができ、しかも、前述した従来例に比し、突き合せ連結する突き合せ端部からの凸部の突出量を可及的に抑制することができ、使用時や搬送時に邪魔になることはなく、しかも、体裁が良いなど、極めて商品価値の高い画期的な収納具となる。
【図面の簡単な説明】
【００１５】
【図１】本実施例の使用状態説明図である。
【図２】本実施例の要部の分解斜視図である。
【図３】本実施例の要部の平面図である。
【図４】本実施例の要部の説明図である。
【図５】本実施例の要部の説明断面図である。
【図６】従来例の要部の説明図である。
【発明を実施するための形態】
【００１６】
好適と考える本発明の実施形態を、図面に基づいて本発明の作用を示して簡単に説明する。
【００１７】
例えば、引出式収納ケース１の端部とこの引出式収納ケース１に連結するパイプハンガー２Ａの端部とを突き合せ連結する際、突き合せ連結する突き合せ端部３，４同士を上下方向若しくは前後方向に相対移動させることで、一方の突き合せ端部３に凹設した第一凹条部５に他方の突き合せ端部４に凸設した第一凸部７をスライド配設するとともに、他方の突き合せ端部４に凹設した第二凹条部６に一方の突き合せ端部３に凸設した第二凸部８をスライド配設すると、第一凸部７，第二凸部８同士が互いに重合係合することで、突き合せ端部３，４同士は突き合せ方向に対する離反不能状態に連結する。また、第一凸部７，第二凸部８夫々が第一凹条部５，第二凹条部６夫々の対向壁部間に係合することになる為、例えば第一凸部７，第二凸部８夫々と第一凹条部５，第二凹条部６とが突き合せ端部３，４同士を上下方向に相対移動させることでスライド配設する構造の場合には、突き合せ端部３，４同士における前後方向への移動は阻止され、例えば、第一凸部７，第二凸部８夫々と第一凹条部５，第二凹条部６とが突き合せ端部３，４同士を前後方向に相対移動させることでスライド配設する構造の場合には、突き合せ端部３，４同士における上下方向への移動は阻止されることになる。
【００１８】
この構成から、凸部と凹部における連結強度を確保しつつ凸部における突き合せ端部３，４からの突出量を可及的に抑制することができる。
【００１９】
即ち、本発明は、前述したように互いに重合係合する凸部夫々をスライド配設する凹部を突き合せ端部３，４夫々に凹設した構成とすることで、この凸部と凹部の連結構造が突き合せ端部３，４夫々の内側に入り込んだ状態となり、よって、結果的に凸部における突き合せ端部３，４からの突出量が可及的に抑制されることになる。
【実施例】
【００２０】
本発明の具体的な実施例について図面に基づいて説明する。
【００２１】
本実施例は、収納ケース１の端部とこの収納ケース１に連結したい他の部材の端部とを突き合せ連結する構造である。
【００２２】
収納ケース１は、図１に図示したように各パーツを合成樹脂製の部材で一体成形したものであり、前後左右の四隅に設けた支柱１ａを介して平面視方形状のケース受板１ｂを上下複数段設け、更に前記支柱１ａを介して最上部に平面視方形状の天板１ｃを設けた構成の本体部１Ａと、この本体部１Ａの前記ケース受板１ｂ間とケース受板１ｂと天板１ｃとの間に引き出し自在に設けた引き出しケース１Ｂとから成る構成（引出式収納ケース）である。尚、収納ケース１としては、前述したように複数段タイプに限らず一段タイプのものでも良く、また、その形状や構造も引出式収納ケースに限らず、本実施例の特性を発揮し得るケース構造体であれば適宜採用し得るものである。
【００２３】
本実施例では、図２に図示したようにこのケース受板１ｂ及び天板１ｃ夫々の左右端部のうち一方を突き合せ端部３とし、他方を突き合せ端部４としているが、これは収納ケース１同士を連結する場合にそれぞれ別の機能を発揮するという意味であり、この収納ケース１に連結したい部材として、収納ケース１以外の場合、例えば図１に図示したように収納ケース１に端部が連結される接地体Ｘ，この接地体Ｘの他端部に立設される支柱Ｙ及びこの支柱Ｙの上端部に他端部が連結され収納ケース１に一端部が連結されるパイプ体Ｚから成るパイプハンガー２Ａの連結部材や、トレー２Ｂや蓋付き収納ケース２Ｃなどの端部（いずれも合成樹脂製の部材で一体成形された端部）を他方の突き合せ端部４として突き合せ連結する場合には、収納ケース１の左右端部は一方の突き合せ端部３としての機能を発揮する。尚、前述したトレー２Ｂや蓋付き収納ケース２Ｃのように平面視方形状の部材で左右両端部を有する場合には、一方を突き合せ端部３とし、他方を突き合せ端部４とする。
【００２４】
具体的には、本実施例は、突き合せ連結する突き合せ端部３，４同士を上下方向に相対移動させることで、一方の突き合せ端部３に凹設した第一凹条部５にスライド配設する第一凸部７を他方の突き合せ端部４に凸設するとともに、他方の突き合せ端部４にして第一凹条部５との突き合せ対向位置に凹設した第二凹条部６にスライド配設する第二凸部８を一方の突き合せ端部３に凸設し、第二凸部８を、第一凹条部５における対向開口縁部の一方から他方へ向けて第一凹条部５の開口位置に突出状態に設けるとともに、第一凸部７を、第二凹条部６における対向開口縁部の一方から他方へ向けて第二凹条部６の開口位置に突出状態に設け、突き合せ端部３，４同士を突き合せた際の第一凹条部５における開口縁部から突出する第二凸部８の突出方向と、第二凹条部６における開口縁部から突出する第一凸部７の突出方向とが逆方向となるように構成して、第一凸部７，第二凸部８を第一凹条部５，第二凹条部６にスライド配設することで、第一凸部７，第二凸部８同士が互いに重合係合（掛け止め係合）して突き合せ端部３，４同士が突き合せ方向に対する離反不能状態（突き合せ方向と反対方向としての離反方向への移動を阻止した状態）に連結するように構成している。尚、突き合せ連結する突き合せ端部３，４同士を前後方向に相対移動させることで、第一凸部７，第二凸部８を第一凹条部５，第二凹条部６にスライド配設する構成としても良い。
【００２５】
本実施例は、第一凸部７，第二凸部８を突き合せ端部３，４夫々の端面３ａ，４ａから膨出状態に凸設しており、第一凹条部５，第二凹条部６を突き合せ端部３，４夫々の端面３ａ，４ａから陥没状態に凹設しており、これら第一凸部７の厚みと、第二凸部８の厚みと、第一凹条部５の深さと、第二凹条部６の深さはほぼ同一寸法に設定されている。
【００２６】
また、本実施例は、第一凸部７と重合する第二凸部８の重合面８ａ（内面）を、一方の突き合せ端部３の端面３ａと同一平面状態となるように設けるとともに、第二凸部８と重合する第一凸部７の重合面７ａ（内面）を他方の突き合せ端部４の端面４ａと同一平面状態となるように設けている。
【００２７】
また、本実施例では、収納ケース１に連結したい他の部材（パイプハンガー２Ａの連結部材やトレー２Ｂや蓋付き収納ケース２Ｃ）の端部に設ける第一凹条部５，第二凹条部６夫々には、板状のスライド阻止部９が設けられており、第二凹条部６に設けたスライド阻止部９は、第一凸部７を第一凹条部５にスライド配設した際、第二凸部８の端部に重合してそれ以上のスライド配設方向へのスライドが阻止され、第一凹条部５に設けたスライド阻止部９は、第二凸部８を第二凹状部６にスライド配設した際、第一凸部７の端部に重合してそれ以上のスライド配設方向へのスライドが阻止されるように構成されている。
【００２８】
また、この第一凸部７の内面及び第二凹条部６夫々の底面には、リブ状の凸条10が設けられており、第二凹条部６にスライド配設される第二凸部８夫々に圧接して該第一凸部７，第二凸部８夫々ガタツキを防止することになる（図５参照）。尚、この凸条10を第二凸部８の内面及び第一凹条部５の底面に設けても良い。
【００２９】
また、本実施例では、一方の突き合せ端部３に凹設した複数の第一凹条部５にスライド配設する複数の第一凸部７を他方の突き合せ端部４に凸設するとともに、他方の突き合せ端部４にして各第一凹条部５との突き合せ対向位置に凹設した複数の第二凹条部６にスライド配設する複数の第二凸部８を一方の突き合せ端部３に凸設している。
【００３０】
具体的には、第二凸部８を、各第一凹条部５における対向開口縁部の一方から他方へ向けて各第一凹条部５の開口位置に突出状態となるように設けるとともに、第一凸部７を、各第二凹条部６における対向開口縁部の一方から他方へ向けて各第二凹条部６の開口位置に突出状態となるように設け、一方の突き合せ端部３における各第一凹条部５の開口位置に突出状態となる各第二凸部８の突出方向が同一方向となり、他方の突き合せ端部４における各第二凹条部６の開口位置に突出状態となる各第一凸部７の突出方向が同一方向となり、且つ、突き合せ端部３，４同士を突き合せた際の各第一凹条部５における開口縁部から突出する前記各第二凸部８の突出方向と、各第二凹条部６における開口縁部から突出する各第一凸部７の突出方向とが逆方向となるように構成している。
【００３１】
従って、ケース本体１に対して他の部材（パイプハンガー２Ａのように突き合せ端部が片側しかない部材）をどちらにも連結することができる。
【００３２】
本実施例は上述のように構成したから、収納ケース１の端部とこの収納ケース１に連結したい他の部材の端部とを突き合せ連結する際、突き合せ連結する突き合せ端部３，４同士を上下方向若しくは前後方向に相対移動させることで、一方の突き合せ端部３に凹設した第一凹条部５に他方の突き合せ端部４に凸設した第一凸部７をスライド配設するとともに、他方の突き合せ端部４に凹設した第二凹条部６に一方の突き合せ端部３に凸設した第二凸部８をスライド配設すると、第一凸部７，第二凸部８同士が互いに重合係合することで、突き合せ端部３，４同士は突き合せ方向に対する離反不能状態に連結する。また、第一凸部７，第二凸部８夫々が第一凹条部５，第二凹条部６夫々の対向壁部間に係合することになる為、例えば第一凸部７，第二凸部８夫々と第一凹条部５，第二凹条部６とが突き合せ端部３，４同士を上下方向に相対移動させることでスライド配設する構造の場合には、突き合せ端部３，４同士における前後方向への移動は阻止され、例えば、第一凸部７，第二凸部８夫々と第一凹条部５，第二凹条部６とが突き合せ端部３，４同士を前後方向に相対移動させることでスライド配設する構造の場合には、突き合せ端部３，４同士における上下方向への移動は阻止されることになる。
【００３３】
この構成から、凸部と凹部における連結強度を確保しつつ凸部における突き合せ端部３，４からの突出量を可及的に抑制することができる。
【００３４】
即ち、本実施例は、前述したように互いに重合係合する凸部夫々をスライド配設する凹部を突き合せ端部３，４夫々に凹設した構成とすることで、この凸部と凹部の連結構造が突き合せ端部３，４夫々の内側に入り込んだ状態となり、よって、結果的に凸部における突き合せ端部３，４からの突出量が可及的に抑制されることになる。
【００３５】
よって、本実施例によれば、収納ケース１の端部とこの収納ケース１に連結したい他の部材の端部とを確実に連結することができ、しかも、前述した従来例に比し、突き合せ連結する突き合せ端部３，４からの凸部の突出量を可及的に抑制することができ、使用時や搬送時に邪魔になることはなく、しかも、体裁が良い。
【００３６】
また、本実施例は、一方の突き合せ端部３に凹設した複数の第一凹条部５にスライド配設する複数の第一凸部７を他方の突き合せ端部４に凸設するとともに、他方の突き合せ端部４にして各第一凹条部５との突き合せ対向位置に凹設した複数の第二凹条部６にスライド配設する複数の第二凸部８を一方の突き合せ端部３に凸設したから、より堅固な連結が行われることになる。
【００３７】
また、本実施例は、第二凸部８を、各第一凹条部５における対向開口縁部の一方から他方へ向けて各第一凹条部５の開口位置に突出状態となるように設けるとともに、第一凸部７を、各第二凹条部６における対向開口縁部の一方から他方へ向けて各第二凹条部６の開口位置に突出状態となるように設け、各第一凹条部５の開口位置に突出状態となる各第二凸部８の突出方向が同一方向となり、各第二凹条部６の開口位置に突出状態となる各第一凸部７の突出方向が同一方向となるように構成したから、確実に突き合せ端部３，４同士を連結する状態が得られることになる。
【００３８】
また、本実施例は、突き合せ端部３，４同士を突き合せた際の各第一凹条部５における開口縁部から突出する各第二凸部８の突出方向と、各第二凹条部６における開口縁部から突出する各第一凸部７の突出方向とが逆方向となるように構成したから、確実に突き合せ端部３，４同士を連結する状態が得られることになる。
【００３９】
また、本実施例は、第一凸部７と重合する第二凸部８の重合面８ａを、一方の突き合せ端部３の端面３ａと同一平面状態となるように設けるとともに、第二凸部８と重合する第一凸部７の重合面７ａを他方の突き合せ端部４の端面４ａと同一平面状態となるように設けたから、この点においても突き合せ端部３，４からの凸部の突出量を可及的に抑制することができる。
【００４０】
尚、本発明は、本実施例に限られるものではなく、各構成要件の具体的構成は適宜設計し得るものである。
【符号の説明】
【００４１】
１  引出式収納ケース
１Ｂ 引き出しケース
１ｂ ケース受板
１ｃ 天板
２Ａ パイプハンガー
３  突き合せ端部
３ａ  端面
４  突き合せ端部
４ａ  端面
５  第一凹条部
６  第二凹条部
７  第一凸部
７ａ  重合部
８  第二凸部
８ａ  重合部
Ｘ 接地体
Ｙ 支柱
Ｚ パイプ体
【図１】
0006308973.tif 000002
【図２】
0006308973.tif 000003
【図３】
0006308973.tif 000004
【図４】
0006308973.tif 000005
【図５】
0006308973.tif 000006
【図６】
0006308973.tif 000007